(57)【要約】【課題】  濾過処理効率のより含油排水の処理方法の提供。【解決手段】  凝集槽２に界面活性剤を含む含油排水を送液し、凝集剤により凝集処理する工程、凝集処理水を攪拌槽３に送液し、攪拌してフロックを形成させる工程、攪拌槽３における処理水を濾過槽４に送液し、濾過処理する工程を有しており、濾過処理する工程において、濾過槽４の高さ方向の中層領域に濾過膜16を保持して含油排水の濾過処理する。【選択図】  図１
2008126164.tif 000002
【特許請求の範囲】
【請求項１】
凝集槽に界面活性剤を含む含油排水を送液し、凝集剤により凝集処理し、フロックを形成する工程、
前記凝集槽における処理水を濾過槽に送液し、濾過処理する工程を有する含油排水の処理方法であり、
前記濾過処理する工程において、前記濾過槽の高さ方向の中層領域に濾過膜を保持して濾過処理する、含油排水の処理方法。
【請求項２】
前記濾過処理する工程において、
前記濾過槽の高さ方向の上層領域から油分を含む凝集物を引き抜き、
前記濾過槽の高さ方向の中層領域に濾過膜を保持して濾過処理して濾過水を引き抜き、
前記濾過槽の高さ方向の下層領域から懸濁質を含む凝集物を引き抜く、請求項１記載の含油排水の処理方法。
【請求項３】
前記濾過処理する工程において使用する濾過膜がダイナミック膜である、請求項１又は２記載の含油排水の処理方法。
【発明の詳細な説明】
【技術分野】
【０００１】
本発明は、食用油等の油を含む含油排水の処理方法に関する。
【背景技術】
【０００２】
大規模調理施設からは、油で汚れた食器や調理器具を洗剤で洗浄するため、油と界面活性剤が混じり合ったエマルション状態の含油排水が大量に排水される。このようなエマルション状態の含油排水は、そのまま下水に流すと下水処理場に対して過度の負荷を加えることになるため、前処理をして汚れを低減させる必要がある。
【特許文献１】特開２００６−１２２７９５号公報
【特許文献２】特開２００３−１４４８５７号公報
【発明の開示】
【発明が解決しようとする課題】
【０００３】
本発明は、濾過処理工程において、被処理水を予め凝集物の少ない層と凝集物の多い層に分離することで、濾過処理効率（単位時間当たりの処理量）が高められた含油排水の処理方法を提供することを課題とする。
【課題を解決するための手段】
【０００４】
本発明は、課題の解決手段として、
凝集槽に界面活性剤を含む含油排水を送液し、凝集剤により凝集処理し、フロックを形成する工程、
前記凝集槽における処理水を濾過槽に送液し、濾過処理する工程を有する含油排水の処理方法であり、
前記濾過処理する工程において、前記濾過槽の高さ方向の中層領域に濾過膜を保持して濾過処理する、含油排水の処理方法を提供する。
【発明の効果】
【０００５】
本発明の含油排水の処理方法によれば、含油排水のエマルション化した油分量を大きく低減させることができ、処理水はそのまま下水に放流することができる。
【発明を実施するための最良の形態】
【０００６】
図面により、本発明の含油排水の処理方法を説明する。図１は、本発明の処理フローを示す概略図である。図２は、図１に示す濾過処理工程を説明するための概略図である。
【０００７】
大規模調理施設等の床下には、排水を集水する既設のピット１が埋設されており、集められた含油排水が貯留される。ピット１内には水中ポンプ１１が設置されており、この水中ポンプ１１を作動させて、排水ライン２１を経て、含油排水を凝集槽（急速攪拌槽）２に送液する。
【０００８】
凝集槽２には、凝集剤投入装置１２、ｐＨ調整剤投入装置（ｐＨセンサーが併設されている）１３、攪拌機１４が備えられている。攪拌機１４の攪拌羽根は、凝集槽２内に位置している。
【０００９】
凝集剤は公知のものを使用することができ、例えば、特開２００６−１２２７９５号公報に記載のものを挙げることができる。
【００１０】
凝集剤の使用量は、含油排水の汚濁度や凝集剤の種類により異なるが、通常は、含油排水１Ｌに対して、１０〜１０００ｍｇ程度を添加する。
【００１１】
ｐＨは、アルカリ又は酸を適量添加して、含油排水がｐＨ６〜８程度の中性領域になるように調整する。
【００１２】
凝集槽２で凝集処理した一次処理水は、攪拌槽（緩速攪拌槽）３に送られる。攪拌槽３には、攪拌機１５が備えられており、攪拌機１５の攪拌羽根は、攪拌槽３内に位置している。
【００１３】
凝集槽２と攪拌槽３における滞留時間（処理時間）は、含油排水量が１０Ｌであるとき、１〜２０分が好ましく、より好ましくは２〜１０分である。
【００１４】
攪拌槽３で処理した二次処理水は、濾過槽４に送られる。濾過槽４では、高さ方向の中層領域に位置するように、濾過膜１６が支持固定されている。
【００１５】
濾過槽４に送液された二次処理水は、上層領域には、主として油を含む軽い凝集物３１が存在し、中層領域には、主として凝集物の少ない水３２が存在し、下層領域には、主として懸濁質（油を除く）を含む凝集物３３が存在している。このため、中層領域に濾過膜１６を支持固定すれば、主として凝集物の少ない水３２を濾過処理することになるため、目詰まりすることなく、高い透水速度で濾過処理することができる。
【００１６】
中層領域からの濾過水は、ライン２６から既設の排水設備に排水される。上層領域の凝集物３１は、ライン２５から抜き出され、凝集物は分離されて引き抜きライン２７から引き抜かれ、残部の水は循環水タンク５に送られる。下層領域の凝集物３３は、ライン２４から抜き出され、凝集物は分離されて引き抜きライン２７から引き抜かれ、残部の水は循環水タンク５に送られる。循環水タンク５の水は、水中ポンプ１７を作動させ、循環ライン２８を経て、凝集槽２に送られる。
【００１７】
濾過槽４で使用する濾過膜１６は、ダイナミック膜が好ましい。ダイナミック膜及びそれを用いたダイナミック濾過方法は特に制限されず、袋状濾過エレメント等を濾過手段として用いた公知の方法（例えば、特開２００３−１０３２８９号公報特開２００３−２２５５０６号公報、特開２００３−２２５５１９号公報）を適用できる。
【００１８】
濾過差圧は、好ましくは２０ｋＰａ以下、より好ましくは０．１〜１０ｋＰａ（＝１〜１００ｃｍの水頭差）で、流量が好ましくは５〜５０ｍ３／ｍ２／２４ｈｒ、より好ましくは１０〜３０ｍ３／ｍ２／２４ｈｒの範囲で、一定流量により濾過することが好ましい。
【実施例】
【００１９】
実施例１
図１に示す処理フローにて、含油排水を処理した。
【００２０】
（１）凝集処理（急速攪拌処理）
含油排水（濁度１５０NTU、ＢＯＤ５５０mg／Ｌ、ｎ−ヘキサン抽出物１００mg／Ｌ）１０Ｌを凝集槽２（容量２０Ｌ）に送った。含油排水は、アルカリを添加することで、ｐＨを中性領域に調整した。
【００２１】
そこに凝集剤として、Ｕ−００２（ダイセン・メンブレン・システムズ社製）を１００ｍｇ／Ｌとなるように添加し、攪拌機１４を作動させ、約１２０ｒ／分で２分間攪拌して凝集させ、一次処理水を得た。
【００２２】
（２）緩速攪拌処理
一次処理水を攪拌層３（容量２０Ｌ）に送り、攪拌機１５を作動させ、約３０ｒ／分で２分間攪拌して凝集物のフロックを形成させ、二次処理水を得た。
【００２３】
（３）濾過処理
二次処理水３を濾過槽４（容量２０Ｌ、５０cm）に送り、濾過処理した。濾過膜１６は、４００メッシュ（ＪＩＳ）のステンレスメッシュ（面積１０００ｃｍ２）を用いて、濾過槽４の中層領域に設置した状態で、濾過差圧１ｋＰａで濾過した。その結果、濾過水のｎ−ヘキサン抽出物量は４mg／Ｌ、濁度は２２．４NTUであった。
【図面の簡単な説明】
【００２４】
【図１】本発明の処理方法のフローを説明するための概略図。
【図２】図１において、濾過処理方法を説明するための部分概略図。
【図１】
2008126164.tif 000003
【図２】
2008126164.tif 000004